(57)【要約】【課題】未処理のタスクと処理済みのタスクとを好適に表示する。【解決手段】作業支援システム１は、スマートフォン６１などにタスクインデックスを表示させることによりタスクの実施を支援する。作業支援システム１は、未処理タスクインデックスからなる未処理リストと処理済タスクインデックスからなる処理済リストとを表示させるリスト表示部３２と、未処理リストのいずれかの未処理タスクインデックスが処理済タスクインデックスに属性変更された場合に、属性変更されたタスクインデックスを未処理リストから処理済リストに向けて移動表示させる処理済時表示部３３とを備える。処理済時表示部３３は、属性変更されたタスクインデックスを他のタスクインデックスのうちの少なくとも未処理タスクインデックスの表示位置を通過表示させる際、この未処理タスクインデックスの後側を属性変更されたタスクインデックスが通過視認されるように表示させる。【選択図】図１
2018120628.tif 000002
【特許請求の範囲】
【請求項１】
表示装置にタスクインデックスを表示させることによりタスクの実施を支援する作業支援システムであって、
複数の未処理タスクインデックスからなる第１リストと複数の処理済タスクインデックスからなる第２リストとを表示させるリスト表示手段と、
前記第１リストにおけるいずれかの未処理タスクインデックスが処理済タスクインデックスに属性変更された場合に、当該属性変更されたタスクインデックスを前記第１リストから前記第２リストに向けて移動表示させる第１移動表示手段と、
前記第２リストにおけるいずれかの処理済タスクインデックスが未処理タスクインデックスとして複製された場合に、当該複製されたタスクインデックスを前記第２リストから前記第１リストに向けて移動表示させる第３移動表示手段と、
を備え、
前記第１移動表示手段は、前記属性変更されたタスクインデックスを他のタスクインデックスのうちの少なくとも前記未処理タスクインデックスの表示位置を通過表示させる際は、該未処理タスクインデックスの後側を前記属性変更されたタスクインデックスが通過視認されるように表示させ、
前記第３移動表示手段は、前記複製されたタスクインデックスを他のタスクインデックスのうちの少なくとも前記未処理タスクインデックスの表示位置を通過表示させる際は、該未処理タスクインデックスの前側を前記複製されたタスクインデックスが通過視認されるように表示させる、
ことを特徴とする作業支援システム。
【請求項２】
前記第１移動表示手段は、前記属性変更されたタスクインデックスを縮小表示したのちに前記第１リストから前記第２リストに向けて移動表示させる、
ことを特徴とする請求項１に記載の作業支援システム。
【請求項３】
前記第２リストにおけるいずれかの処理済タスクインデックスが未処理タスクインデックスに属性変更された場合に、当該未処理タスクインデックスに属性変更されたタスクインデックスを前記第２リストから前記第１リストに向けて移動表示させる第２移動表示手段を備え、
前記第２移動表示手段は、前記未処理タスクインデックスに属性変更されたタスクインデックスを他のタスクインデックスのうちの少なくとも前記未処理タスクインデックスの表示位置を通過表示させる際は、該未処理タスクインデックスの前側を前記属性変更されたタスクインデックスが通過視認されるように表示させる、
ことを特徴とする請求項１または２に記載の作業支援システム。
【請求項４】
前記第２移動表示手段は、前記未処理タスクインデックスに属性変更されたタスクインデックスを前記第２リストから前記第１リストに向けて移動表示させる際に、前記第１リストを縮小表示させる、
ことを特徴とする請求項３に記載の作業支援システム。
【請求項５】
前記第３移動表示手段は、前記複製されたタスクインデックスを前記第２リストから前記第１リストに向けて移動表示させる際に、前記第１リストを縮小表示させる、
ことを特徴とする請求項１から４のいずれかに記載の作業支援システム。
【請求項６】
前記第１移動表示手段は、前記処理済タスクインデックスに属性変更されたタスクインデックスを振り子表示したのちに前記第１リストから前記第２リストに向けて移動表示させる、
ことを特徴とする請求項１から５のいずれかに記載の作業支援システム。
【請求項７】
表示装置にタスクインデックスを表示させることによりタスクの実施を支援する作業支援方法であって、
複数の未処理タスクインデックスからなる第１リストと複数の処理済タスクインデックスからなる第２リストとを表示するリスト表示ステップと、
前記第１リストにおけるいずれかの未処理タスクインデックスが処理済タスクインデックスに属性変更された場合に、当該属性変更されたタスクインデックスを前記第１リストから前記第２リストに向けて移動表示する第１移動表示ステップと、
前記第２リストにおけるいずれかの処理済タスクインデックスが未処理タスクインデックスとして複製された場合に、当該複製されたタスクインデックスを前記第２リストから前記第１リストに向けて移動表示する第３移動表示ステップと、
を有し、
前記第１移動表示ステップは、前記属性変更されたタスクインデックスを他のタスクインデックスのうちの少なくとも前記未処理タスクインデックスの表示位置を通過表示する際は、該未処理タスクインデックスの後側を前記属性変更されたタスクインデックスが通過視認されるように表示し、
前記第３移動表示ステップは、前記複製されたタスクインデックスを他のタスクインデックスのうちの少なくとも前記未処理タスクインデックスの表示位置を通過表示する際は、該未処理タスクインデックスの前側を前記複製されたタスクインデックスが通過視認されるように表示することを特徴とする作業支援方法。
【発明の詳細な説明】
【技術分野】
【０００１】
本発明は、作業支援システムおよび作業支援方法に関する。
【背景技術】
【０００２】
中小企業の経営者や店舗の責任者などは、売上管理、給与管理、従業員の就業管理、ＰＯＰ（Point of purchase advertising）の作成など、多くのタスクを並行して計画的に進めることが要求される。このように複数のタスクを並行して進めていくと、進捗管理が煩雑になり、遅延や品質低下または過剰品質のリスクが生じる。
【０００３】
そこで、各タスクに対する日程をスケジューリングするツールが存在する。スケジューリングツールは、例えばＷｅｂアプリケーションとして提供され、スマートフォンやタブレット、パソコンなどからタスク情報の閲覧、追加、修正が可能である。
【０００４】
特許文献１の要約には、「タスク項目を生成するための技術と、タスク項目を編成するための技術と、タスク項目の通知を引き起こすための技術と、タスク項目を消費するための技術とが記載される。１つのアプローチでは、タスク項目はユーザからの入力と当該入力のコンテキストとに基づいて生成される。別のアプローチでは、タスク項目を複数のリストに知的に編成するためにタスク項目の異なる属性が用いられる。別のアプローチでは、ユーザにタスク項目をいつ通知するかを判定するために、位置のような１つ以上の基準が用いられる。別のアプローチでは、通知の生成とは異なる、電子メール送信、通話、テキスト送信及び検索のような動作が可能になるか、自動的に実行される。」と記載されている。
【先行技術文献】
【特許文献】
【０００５】
【特許文献１】特表２０１４−５１８４０９号公報
【発明の概要】
【発明が解決しようとする課題】
【０００６】
このようなスケジューリングツールでは、各タスク情報の入力が煩雑である。例えば上記した特許文献１の発明では、ユーザがタスクを特定するための情報入力をしなければならない。
特許文献１の発明では、未処理タスクインデックスと処理済タスクインデックスとが混在して表示されている。この配列は、必ずしもユーザの求めるものではなかった。
【０００７】
そこで、本発明は、作業支援システムおよび作業支援方法にて、未処理タスクインデックスと処理済タスクインデックスとを好適に表示することを課題とする。
【課題を解決するための手段】
【０００８】
本発明は、上記目的を達成するため、
表示装置にタスクインデックスを表示させることによりタスクの実施を支援する作業支援システムであって、
複数の未処理タスクインデックスからなる第１リストと複数の処理済タスクインデックスからなる第２リストとを表示させるリスト表示手段と、
前記第１リストにおけるいずれかの未処理タスクインデックスが処理済タスクインデックスに属性変更された場合に、当該属性変更されたタスクインデックスを前記第１リストから前記第２リストに向けて移動表示させる第１移動表示手段と、
前記第２リストにおけるいずれかの処理済タスクインデックスが未処理タスクインデックスとして複製された場合に、当該複製されたタスクインデックスを前記第２リストから前記第１リストに向けて移動表示させる第３移動表示手段と、
を備え、
前記第１移動表示手段は、前記属性変更されたタスクインデックスを他のタスクインデックスのうちの少なくとも前記未処理タスクインデックスの表示位置を通過表示させる際は、該未処理タスクインデックスの後側を前記属性変更されたタスクインデックスが通過視認されるように表示させ、
前記第３移動表示手段は、前記複製されたタスクインデックスを他のタスクインデックスのうちの少なくとも前記未処理タスクインデックスの表示位置を通過表示させる際は、該未処理タスクインデックスの前側を前記複製されたタスクインデックスが通過視認されるように表示させる、
ことを特徴とする作業支援システムである。
【発明の効果】
【０００９】
本発明によれば、作業支援システムおよび作業支援方法にて、未処理タスクインデックスと処理済タスクインデックスとを好適に表示することが可能となる。
【図面の簡単な説明】
【００１０】
【図１】本実施形態における作業支援システムの概略を示す構成図である。
【図２】作業支援システムのモード遷移図である。
【図３】ToDoポータルのメイン画面を説明する図である。
【図４】ToDoリストペインの一例を説明する図である。
【図５】タスクインデックスの落ち方を説明する図である。
【図６】タスク復活時のタスクインデックスの動きを説明する図（その１）である。
【図７】タスク復活時のタスクインデックスの動きを説明する図（その２）である。
【図８】タスクインデックスの他の落ち方を説明する図である。
【発明を実施するための形態】
【００１１】
以降、本発明を実施するための形態を、各図を参照して詳細に説明する。
図１は、本実施形態における作業支援システム１の概略を示す構成図である。
作業支援システム１は、ユーザ認証部２、タスク管理部３、タスクデータベース４１、カレンダデータベース４２、作業支援アプリケーション５を含んで構成される。ユーザ認証部２、タスク管理部３、作業支援アプリケーション５は、不図示のＷｅｂサーバが作業支援プログラムを実行することによって具現化される。この作業支援システム１は、スマートフォン６１やパソコン６２などの表示装置にタスクインデックスを表示させることにより、ユーザによるタスクの実施を支援する。作業支援システム１は、例えば、タスクインデックスのクリックを検知すると、作業支援アプリケーション５のうちいずれかを起動してユーザにタスクを実施させる。なお、図面では、アプリケーションのことを「アプリ」と表記している場合がある。
【００１２】
作業支援アプリケーション５には、店舗の売上を管理する売上管理アプリケーション５ａ、店舗の会計を管理する会計管理アプリケーション５ｂ、従業員の給与を管理する給与管理アプリケーション５ｃ、従業員のシフトを管理する就業管理アプリケーション５ｄ、ＰＯＰ（Point of purchase advertising）を作成するＰＯＰ作成アプリケーション５ｅなどがあるが、これには限定されない。なおタイムレコーダ６３が収集した勤怠情報は、就業管理アプリケーション５ｄによって用いられる。ＰＯＳ（Point of Sales）レジ端末６４が収集した売上情報は、売上管理アプリケーション５ａによって用いられる。
【００１３】
ユーザ認証部２は、この作業支援システム１にアクセスした端末にログイン画面を表示させ、登録ユーザであるか否かを認証する。
タスク管理部３は、タスク情報を登録する登録部３１、タスクインデックスをリストとして表示するリスト表示部３２、処理済時表示部３３、復活時表示部３４、コピー時表示部３５などを含んで構成される。処理済時表示部３３、復活時表示部３４、コピー時表示部３５は、例えばJAVASCRIPT（登録商標）などで記述されたプログラムがスマートフォン６１やパソコン６２に転送されて実行されることにより具現化される。
【００１４】
登録部３１は、ユーザ操作を受け付けてタスクデータベース４１やカレンダデータベース４２にタスク情報を登録する。なお、図面では、各データベースのことを“ＤＢ”と省略して記載している。
リスト表示部３２（リスト表示手段）は、未処理タスクインデックスからなる未処理リスト（第１リスト）と処理済タスクインデックスからなる処理済リスト（第２リスト）とを、スマートフォン６１やパソコン６２の表示装置に表示させる。ここで未処理タスクインデックスは、ユーザが未だ処理していないタスク情報を表示するとともに、クリックなどによりタスクに係る作業支援アプリケーション５が起動するように構成された画面要素である。また処理済タスクインデックスは、ユーザが処理したタスク情報を表示する画面要素である。
処理済時表示部３３（第１移動表示手段）は、未処理タスクインデックスが処理済タスクインデックスに属性変更された場合に、この属性変更されたタスクインデックスを未処理リストから処理済リストに向けて移動表示させる。
【００１５】
復活時表示部３４（第２移動表示手段）は、処理済リストにおけるいずれかの処理済タスクインデックスが未処理タスクインデックスに属性変更された場合に、未処理タスクインデックスに属性変更されたタスクインデックスを処理済リストから未処理リストに向けて移動表示させる。
コピー時表示部３５（第３移動表示手段）は、処理済リストにおけるいずれかの処理済タスクインデックスが未処理タスクインデックスとして複製された場合に、複製されたタスクインデックスを処理済リストから未処理リストに向けて移動表示させる。これら移動表示により、未処理タスクインデックスと処理済タスクインデックスとの間の遷移とを好適に表示することができる。
【００１６】
図２は、作業支援システム１のモード遷移図である。
この作業支援システム１のURL（Uniform Resource Locator）をＷｅｂプラウザ等で表示することにより、作業支援のサービスが起動する。起動直後にて作業支援システム１は、ログイン画面（モードＭ１０）を表示する。
モードＭ１０のログイン画面にて、ユーザがログイン操作を行うと、ToDoのポータル画面（モードＭ１１）に遷移する。このToDoのポータル画面では、タスクインデックスの選択やログアウトが行える。なお、ToDoとは、ユーザが実行すべきタスクのことである。
モードＭ１１のポータル画面にて、タスクインデックスを選択すると対応するアプリケーションが起動し、アプリケーション画面のうちいずれか（モードＭ１２ａ，Ｍ１２ｂ，…）に遷移する。これらアプリケーション画面では、アプリケーションの終了とログアウトが行える。
モードＭ１２ａなどのアプリケーション画面にて、アプリケーションを終了すると、モードＭ１１のポータル画面に戻る。
モードＭ１１のポータル画面やモードＭ１２ａなどのアプリケーション画面にて、ログアウトを行うと、ログイン画面（モードＭ１０）に戻る。
このように、作業支援システム１では、単にToDoポータル画面にて未処理タスクインデックスを表示するだけではなく、未処理タスクインデックスに係るアプリケーションを起動して、この未処理タスクを処理させることができる。
【００１７】
図３は、ToDoポータルのメイン画面７を説明する図である。
図３に示すように、メイン画面７は、メニュー７１ａ〜７１ｅを表示するメニューエリアと、アカウントアイコン７２と、ガジェットペイン７３と、タスク入力テキストボックス７４と、絞込エリア７５と、ToDoリストペイン７６とを含んで構成される。
【００１８】
メニュー７１ａには売上管理に係るアイコンが表示され、このメニュー７１ａをクリックすると、売上管理アプリケーション５ａが起動する。
メニュー７１ｂには会計管理に係るアイコンが表示され、このメニュー７１ｂをクリックすると、会計管理アプリケーション５ｂが起動する。
メニュー７１ｃには給与管理に係るアイコンが表示され、このメニュー７１ｃをクリックすると、給与管理アプリケーション５ｃが起動する。
メニュー７１ｄには就業管理に係るアイコンが表示され、このメニュー７１ｄをクリックすると、就業管理アプリケーション５ｄが起動する。
メニュー７１ｅにはＰＯＰ作成に係るアイコンが表示され、このメニュー７１ｅをクリックすると、ＰＯＰ作成アプリケーション５ｅが起動する。
【００１９】
アカウントアイコン７２をクリックすると、ユーザのアカウント名と共にログアウトボタンが表示される。このログアウトボタンのクリックによりログアウトが行われ、図２に示したログイン画面に遷移する。
【００２０】
ガジェットペイン７３には、１または複数のガジェット７３１が表示される。このガジェット７３１は、例えば売上速報や、将来のタスクの予告情報や、起案が予測されるタスク情報などが表示される。このガジェットペイン７３はユーザによってスクロール可能に構成されている。
タスク入力テキストボックス７４は文字列入力領域であり、デフォルトでは「タスクを入力してください。」の文言が表示される。この領域に文字列を入力してリターンキーを押下すると、タスク情報が新たに登録され、ToDoリストペイン７６に新たな未処理タスクインデックスが追加される。
【００２１】
絞込エリア７５には、ToDoリストペイン７６に表示されるタスクインデックスを絞り込むためのアイコンが表示される。例えば、ユーザが売上管理に係るアイコン（メニュー７１ａを示すアイコンと同一のアイコン）をクリックすると、ToDoリストペイン７６に表示されるタスクインデックスは、売上管理アプリケーション５ａに係るものに絞り込まれる。
ToDoリストペイン７６は、１または複数のタスクインデックスをリスト表示する領域であり、ユーザによってスクロール可能に構成されている。このToDoリストペイン７６は、後記する図４で詳細に説明する。
【００２２】
図４は、ToDoリストペイン７６の一例を説明する図である。
図４に示すToDoリストペイン７６は、リスト表示部３２によって、未処理タスクインデックス８ａ〜８ｄで構成される未処理リスト８９と、処理済タスクインデックス９ａ〜９ｅで構成される処理済リスト９９とを含んで表示される。未処理リスト８９の下に処理済リスト９９が表示されており、デフォルトでは未処理リスト８９が優先して表示される。
ToDoリストペイン７６が表示するタスクインデックスには、未処理タスクインデックス８ａ〜８ｄと処理済タスクインデックス９ａ〜９ｅの両方が含まれる。
【００２３】
未処理タスクインデックス８ａ〜８ｄは横長の長方形であり、左側のアプリケーションアイコン８１と、中央のコメント８２と、下側の実施予定日８３と、右上側の起案日８４と、処理済チェックボックス８６とを含んで構成され、必要に応じてサムネイル８５を含んで構成される。未処理タスクインデックス８ａ〜８ｄは、未だ処理が完了していないタスクの情報をユーザに示すものである。以下、未処理タスクインデックス８ａ〜８ｄを特に区別しないときには、単に未処理タスクインデックス８と記載する。
【００２４】
未処理タスクインデックス８ａ〜８ｄは、実施予定日８３が直近の順番に表示される。この実施予定日８３は、実施が予定されている日付であり、かつ実施の期限日でもある。これにより、作業支援システム１は、未処理タスクインデックス８のうち実施予定日８３が近く、よって期限が迫っていて緊急度が高いものを明示的に表示することができる。つまり、何がいま大事なタスクであるかが判るように視認しやすく表示することができる。
【００２５】
アプリケーションアイコン８１は、この未処理タスクインデックス８に係る未処理タスクを処理するためのアプリケーションのアイコンである。コメント８２は、この未処理タスクインデックス８に係る未処理タスク情報を構成するコメントである。実施予定日８３は、この未処理タスクインデックス８に係る未処理タスクを処理する期限の日付情報であり、その横に実施予定日８３までの残り日数が表示される。起案日８４は、原則としてこの未処理タスクインデックス８を起案した日であるが、この未処理タスクインデックス８を修正したならば、その修正日が起案日８４に反映される。サムネイル８５は、この未処理タスクインデックス８に係る未処理タスクの詳細または処理結果を示すサムネイル画像である。
処理済チェックボックス８６は、この未処理タスクインデックス８に係るタスクの処理が完了したときにユーザ操作によってチェックされるものである。これにより未処理タスクインデックス８は、処理済タスクインデックス９に遷移したのち処理済リスト９９に落ちて所定期間に亘って沈殿する。処理済チェックボックス８６がチェックされたときの動作は、後記する図５で詳細に説明する。
【００２６】
処理済タスクインデックス９ａ〜９ｅは細長い長方形であり、アプリケーション名の表示と、中央のコメント９１と、完了日９２と、コピーボタン９３と、復活ボタン９４とを含んで構成される。処理済タスクインデックス９ａ〜９ｅは、直近に処理が完了したタスク情報をユーザに示すものである。以下、処理済タスクインデックス９ａ〜９ｅを特に区別しないときには、単に処理済タスクインデックス９と記載する。
【００２７】
この処理済タスクインデックス９は、完了日９２が直近の所定期間（例えば５週間）のものに限って表示され、所定期間を過ぎたものは表示されなくなる。これによりユーザは、処理済タスクインデックス９を事後的に確認可能であり、かつ所定期間が過ぎて確認の必要性が少なくなった処理済タスク情報によって煩わされなくなる。
【００２８】
コピーボタン９３は、この処理済タスクインデックス９に係るタスク情報をコピーして新たな未処理タスク情報として登録するためのボタンである。復活ボタン９４は、この処理済タスクインデックス９に係るタスク情報を、未処理タスク情報として復活させるためのボタンである。コピーボタン９３や復活ボタン９４がクリックされたときの動作は、後記する図６と図７とで詳細に説明する。
【００２９】
図５（ａ）〜（ｄ）は、未処理タスクインデックス８の処理済リスト９９への落ち方を説明する図である。
図５（ａ）は、初期状態を示す図である。
ToDoリストペイン７６は、未処理タスクインデックス８ａ〜８ｄを含んでいる。ここで、未処理タスクインデックス８ａの処理済チェックボックス８６（図４参照）がチェックされて属性が変更されると、図５（ｂ）の状態に遷移する。
【００３０】
図５（ｂ）は、縮小表示を示す図である。
属性が変更されたタスクインデックス８Ａは、処理済時表示部３３により段階的に縮小されながら表示される。これにより、タスクインデックス８Ａが、他の未処理タスクインデックス８ｂ〜８ｄの後方に下がったかのような視覚効果を得ることができる。このタスクインデックス８Ａも、ToDoリストペイン７６が表示するタスクインデックスに含まれる。この縮小表示の後、図５（ｃ）の状態に遷移する。
【００３１】
図５（ｃ）は、平行移動を示す図である。
属性が変更されたタスクインデックス８Ａは、処理済時表示部３３により下方向に平行移動する。この平行移動にてタスクインデックス８Ａは、他の未処理タスクインデックス８ｂ〜８ｄに隠されて見えなくなる。処理済時表示部３３は、属性が変更されたタスクインデックス８Ａを他の未処理タスクインデックス８ｂ〜８ｄの表示位置を通過表示させる際は、未処理タスクインデックス８ｂ〜８ｄの後側を属性変更されたタスクインデックス８Ａが通過視認されるように表示させる。
これにより、タスクインデックス８Ａが、他の未処理タスクインデックス８ｂ〜８ｄの後側を下方向に平行移動したかのような視覚効果を得ることができる。この平行移動の後、図５（ｄ）の状態に遷移する。
なお、処理に時間が掛かったタスクに係るタスクインデックスや、実施予定日８３を超過して処理したタスクに係るタスクインデックスは、派手な表示変化を伴って画面の下部に落ちてもよい。ここで派手な表示変化とは、普通に処理したタスクに係るタスクインデックスとは異なり、何回も縮小表示と拡大表示とを繰り返したのちの下方向に平行移動することや、タスクインデックスの色や輝度が変化しながら落ちること、例えば縮小表示しながら赤黒い色に変わって下方向に平行移動することなどをいう。
【００３２】
図５（ｄ）は、他の未処理タスクインデックス８ｂ〜８ｄの平行移動を示す図である。
他の未処理タスクインデックス８ｂ〜８ｄは、処理済時表示部３３により、上方向に平行移動して未処理タスクインデックス８ａが存在していた位置を埋める。これにより、一連の動作が終了する。
このような移動表示により、未処理タスクインデックス８が処理済に属性変更された場合に、処理済リスト９９に向けて移動したことを示すことができる。また、処理済に属性変更されたタスクインデックスを縮小表示したのちに、他の未処理タスクインデックス８の後側を移動させているので、処理済のタスクインデックスよりも他の未処理タスクインデックス８を相対的に目立たせることができる。
【００３３】
図６（ａ）〜（ｄ）は、タスク復活時のタスクインデックスの動きを説明する図（その１）である。
図６（ａ）は、初期状態を示す図である。
ToDoリストペイン７６は、未処理タスクインデックス８ｃ〜８ｅと、処理済タスクインデックス９ａ〜９ｃを含んでいる。ここで、処理済タスクインデックス９ａの復活ボタン９４（図４参照）がクリックされると、図６（ｂ）の状態に遷移する。
なお処理済タスクインデックス９ａのコピーボタン９３（図４参照）がクリックされたときには、復活時表示部３４によるタスクの復活に代わり、コピー時表示部３５によるタスク情報のコピーが動作する。
【００３４】
図６（ｂ）は、縮小表示を示す図である。
未処理タスクインデックス８ｃ〜８ｅを含む未処理リスト８９は、復活時表示部３４により段階的に縮小されながら表示される。これにより未処理リスト８９が、処理済タスクインデックス９ａ〜９ｃよりも後方に下がったかのような視覚効果を得ることができる。この縮小表示の後、図６（ｃ）の状態に遷移する。
【００３５】
図６（ｃ）は、拡大表示を示す図である。
処理済タスクインデックス９ａは、復活時表示部３４により段階的に拡大されながら表示され、タスクインデックス８ｆに遷移する。この拡大表示の後、図６（ｄ）の状態に遷移する。なお、コピー時には、処理済タスクインデックス９ａが、コピー時表示部３５により段階的に拡大されながら複製表示されてタスクインデックス８ｆに遷移する他は、復活時の動作と同様である。
【００３６】
図６（ｄ）は、未処理リスト８９の平行移動を示す図である。
縮小表示された未処理リスト８９は、復活時表示部３４により下方向に平行移動する。このときタスクインデックス８ｆが優先して表示される。復活時表示部３４は、未処理タスクインデックス８に属性変更されたタスクインデックス８ｆを画面の所定位置に停止させて表示し、その後側に他の未処理タスクインデックス８ａ〜８ｅを通過表示させる。これにより、他の未処理タスクインデックス８８ａ〜８ｅの前側を、属性が変更されたタスクインデックス８ｆが通過視認されるように表示させることができる。
なお、他の未処理タスクインデックス８８ａ〜８ｅを画面の所定位置に停止させて表示し，その前側にタスクインデックス８ｆを通過表示させてもよい。これによっても、他の未処理タスクインデックス８ａ〜８ｅの前側を、属性が変更されたタスクインデックス８ｆが通過視認されるように表示させることができる。
この平行移動の後、図７（ａ）の状態に遷移する。
【００３７】
図７（ａ），（ｂ）は、タスク復活時のタスクインデックスの動きを説明する図（その２）である。
図７（ａ）は、未処理リスト８９の平行移動の終了時を示す図である。
縮小表示された未処理リスト８９は、平行移動を完了し、タスクインデックス８ｆの直下に位置している。この平行移動の終了の後、図７（ｂ）の状態に遷移する。
【００３８】
図７（ｂ）は、未処理リスト８９の復活を示す図である。
未処理リスト８９は、復活時表示部３４により段階的に拡大されながら表示され、元の大きさとなる。これにより、タスク復活時の移動表示は終了する。
タスク情報を復活させて未処理タスクインデックス８としたときには、他の未処理タスクインデックス８の前側を、属性変更されたタスクインデックスが通過視認されるように表示させている。これにより属性変更されたタスクインデックスをユーザが意識するように強調して表示することができる。
また、タスク情報を復活させて未処理タスクインデックス８としたときには、この未処理タスクインデックス８に係るタスク情報がどの程度の緊急度であるかを把握しなければならない。そのために、未処理タスクインデックス８を処理済みにしたときとは異なり、復活した未処理タスクインデックス８が、未処理リスト８９のどこに位置するかを把握することが必要である。図６と図７に示したタスクの復活表示によれば、復活した未処理タスクインデックス８の位置（緊急度）を容易に把握可能である。
【００３９】
図８（ａ）〜（ｄ）は、未処理タスクインデックス８の処理済リスト９９への他の落ち方を説明する図である。
図８（ａ）は、初期状態を示す図である。
ToDoリストペイン７６は、未処理タスクインデックス８ａ〜８ｄを含んでいる。ここで、未処理タスクインデックス８ａの処理済チェックボックス８６（図４参照）がチェックされて属性が変更されると、図８（ｂ）の状態に遷移する。
【００４０】
図８（ｂ）は、振り子表示を示す図である。
属性が変更されたタスクインデックス８Ａは、処理済時表示部３３により右側の１点が止められて振り子のように振動して表示される。この振り子表示の後、図８（ｃ）の状態に遷移する。
【００４１】
図８（ｃ）は、平行移動を示す図である。
属性が変更されたタスクインデックス８Ａは、処理済時表示部３３により下方向に平行移動する。この平行移動にてタスクインデックス８Ａは、他の未処理タスクインデックス８ｂ〜８ｄに隠されて見えなくなる。この平行移動の後、図８（ｄ）の状態に遷移する。
【００４２】
図８（ｄ）は、他の未処理タスクインデックス８ｂ〜８ｄの平行移動を示す図である。
他の未処理タスクインデックス８ｂ〜８ｄは、処理済時表示部３３により上方向に平行移動して未処理タスクインデックス８ａが存在していた位置を埋める。これにより、一連の動作が終了する。
このような移動表示により、未処理タスクインデックス８が処理済に属性変更された場合に、処理済リスト９９に向けて移動したことを示すことができる。
【００４３】
（変形例）
本発明は、上記実施形態に限定されることなく、本発明の趣旨を逸脱しない範囲で、変更実施が可能であり、例えば、次の（ａ）〜（ｃ）のようなものがある。
（ａ）  未処理タスクインデックス８が処理済リスト９９へ落下するときに縮小表示されるのは、属性変更されたタスクインデックスに限られず、反対に他の未処理タスクインデックス８が縮小表示されてもよい。このとき属性変更されたタスクインデックスは、他の未処理タスクインデックス８の前側を通過視認されるように表示される。
（ｂ）  処理済タスクインデックス９が復活するときに縮小表示されるのは、他の未処理タスクインデックス８に限られず、反対に属性変更されたタスクインデックスが縮小表示されてもよい。このとき属性変更されたタスクインデックスは、他の未処理タスクインデックス８の背面を通過することとなる。
（ｃ）  タスクインデックスの配列は上下に限られず、左右に配列していてもよい。
【００４４】
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
表示装置にタスクインデックスを表示させることによりタスクの実施を支援する作業支援システムであって、
複数の未処理タスクインデックスからなる第１リストと複数の処理済タスクインデックスからなる第２リストとを表示させるリスト表示手段と、
前記第１リストにおけるいずれかの未処理タスクインデックスが処理済タスクインデックスに属性変更された場合に、当該属性変更されたタスクインデックスを前記第１リストから前記第２リストに向けて移動表示させる第１移動表示手段と、
を備え、
前記第１移動表示手段は、前記属性変更されたタスクインデックスを他のタスクインデックスのうちの少なくとも前記未処理タスクインデックスの表示位置を通過表示させる際は、該未処理タスクインデックスの後側を前記属性変更されたタスクインデックスが通過視認されるように表示させる、
ことを特徴とする作業支援システム。
＜請求項２＞
前記第１移動表示手段は、前記属性変更されたタスクインデックスを縮小表示したのちに前記第１リストから前記第２リストに向けて移動表示させる、
ことを特徴とする請求項１に記載の作業支援システム。
＜請求項３＞
前記第２リストにおけるいずれかの処理済タスクインデックスが未処理タスクインデックスに属性変更された場合に、当該未処理タスクインデックスに属性変更されたタスクインデックスを前記第２リストから前記第１リストに向けて移動表示させる第２移動表示手段を備え、
前記第２移動表示手段は、前記未処理タスクインデックスに属性変更されたタスクインデックスを他のタスクインデックスのうちの少なくとも前記未処理タスクインデックスの表示位置を通過表示させる際は、該未処理タスクインデックスの前側を前記属性変更されたタスクインデックスが通過視認されるように表示させる、
ことを特徴とする請求項１または２に記載の作業支援システム。
＜請求項４＞
前記第２移動表示手段は、前記未処理タスクインデックスに属性変更されたタスクインデックスを前記第２リストから前記第１リストに向けて移動表示させる際に、前記第１リストを縮小表示させる、
ことを特徴とする請求項３に記載の作業支援システム。
＜請求項５＞
前記第２リストにおけるいずれかの処理済タスクインデックスが未処理タスクインデックスとして複製された場合に、当該複製されたタスクインデックスを前記第２リストから前記第１リストに向けて移動表示させる第３移動表示手段を備え、
前記第３移動表示手段は、前記複製されたタスクインデックスを他のタスクインデックスのうちの少なくとも前記未処理タスクインデックスの表示位置を通過表示させる際は、該未処理タスクインデックスの前側を前記複製されたタスクインデックスが通過視認されるように表示させる、
ことを特徴とする請求項１から４のいずれかに記載の作業支援システム。
＜請求項６＞
前記第３移動表示手段は、前記複製されたタスクインデックスを前記第２リストから前記第１リストに向けて移動表示させる際に、前記第１リストを縮小表示させる、
ことを特徴とする請求項５に記載の作業支援システム。
＜請求項７＞
前記第１移動表示手段は、前記処理済タスクインデックスに属性変更されたタスクインデックスを振り子表示したのちに前記第１リストから前記第２リストに向けて移動表示させる、
ことを特徴とする請求項１から６のいずれかに記載の作業支援システム。
＜請求項８＞
表示装置にタスクインデックスを表示させることによりタスクの実施を支援する作業支援方法であって、
複数の未処理タスクインデックスからなる第１リストと複数の処理済タスクインデックスからなる第２リストとを表示するリスト表示ステップと、
前記第１リストにおけるいずれかの未処理タスクインデックスが処理済タスクインデックスに属性変更された場合に、当該属性変更されたタスクインデックスを前記第１リストから前記第２リストに向けて移動表示する移動表示ステップと、
を有し、
前記移動表示ステップは、前記属性変更されたタスクインデックスを他のタスクインデックスのうちの少なくとも前記未処理タスクインデックスの表示位置を通過表示する際は、該未処理タスクインデックスの後側を前記属性変更されたタスクインデックスが通過視認されるように表示することを特徴とする作業支援方法。
【符号の説明】
【００４５】
１  作業支援システム
３  タスク管理部
３２  リスト表示部
３３  処理済時表示部
３４  復活時表示部
３５  コピー時表示部
８  未処理タスクインデックス
８９  未処理リスト
９  処理済タスクインデックス
９３  コピーボタン
９４  復活ボタン
９９  処理済リスト
【図１】
2018120628.tif 000003
【図２】
2018120628.tif 000004
【図３】
2018120628.tif 000005
【図４】
2018120628.tif 000006
【図５】
2018120628.tif 000007
【図６】
2018120628.tif 000008
【図７】
2018120628.tif 000009
【図８】
2018120628.tif 000010